(57)【特許請求の範囲】
【請求項１】
上枢着部と、この上枢着部の下部と連続した板状部と、この板状部の下端縁を折り返して形成した板状部と連続した水切り部と、その折り返した上部と連続し、かつ板状部と平行に対して室内側に向けて斜め下向きの斜め下端寄り部と、この斜め下端寄り部の下部と連続した下枢着部を有し、前記斜め下端寄り部における水切り部と対向した部分に開口部が形成されているシャッタースラット。
【請求項２】
上枢着部と、この上枢着部の下部と連続した板状部と、この板状部の下部と連続した斜め下端寄り部と、この斜め下端寄り部の下部と連続した下枢着部を有する断面形状に板金加工したもので、前記斜め下端寄り部の長手方向に間隔を置いた複数部分が打ち出し加工されて複数の開口部と複数の水切り部が形成され、その水切り部は板状部の下端縁と連続して開口部よりも室外側で、その水切り部の左右方向両端縁が板状部と連続しているシャッタースラット。
【発明の詳細な説明】
【０００１】
【発明の属する技術分野】
本発明は、サッシ窓の雨戸や車庫の扉などに用いるシャッターのシャッタースラットに関する。
【０００２】
【従来の技術】
シャッターのシャッタースラットとしては、例えば実開昭５３−１５００４８号公報に示すものが知られている。
このシャッタースラットは図８に示すように、上枢着部１、下枢着部２、下枢着部２よりも下方に突出した水切り部３を有するほぼくの字形状で、上枢着部１寄りに通孔４を有する形状である。そして上下に隣接したシャッタースラットの下枢着部２と上枢着部１相互を回動自在に遊合することで連鎖状に連結する。
【０００３】
前述のシャッタースラットであれば通孔４で採光、換気できるし、上のシャッタースラットに沿って流れ落ちる雨水等が下のシャッタースラットの通孔４から室内に流れ込むことを水切り部３で防止できる。
【０００４】
【発明が解決しようとする課題】
前述のシャッタースラットは下枢着部２よりも水切り部３が下方に突出し、その水切り部３で下のシャッタースラットの通孔４から雨水等が室内に流れ込むことを防止するが、下枢着部２と上枢着部１を遊合して上下のシャッタースラットを回転自在に連結するので、下枢着部２と上枢着部１のために水切り部３と通孔４との間隔が広くなり、通孔４から雨水等がしぶいて室内に入り込み易い。
【０００５】
また、下枢着部２に水切り部３が一体的に設けてあるから一枚の板を折り曲げて加工、つまり板金加工できない。
【０００６】
そこで、本発明は前述の課題を解決できるようにしたシャッタースラットを提供することを目的とする。
【０００７】
【課題を解決するための手段】
第１の発明は、上枢着部と、この上枢着部の下部と連続した板状部と、この板状部の下端縁を折り返して形成した板状部と連続した水切り部と、その折り返した上部と連続し、かつ板状部と平行に対して室内側に向けて斜め下向きの斜め下端寄り部と、この斜め下端寄り部の下部と連続した下枢着部を有し、前記斜め下端寄り部における水切り部と対向した部分に開口部が形成されているシャッタースラットである。
【０００８】
第２の発明は、上枢着部と、この上枢着部の下部と連続した板状部と、この板状部の下部と連続した斜め下端寄り部と、この斜め下端寄り部の下部と連続した下枢着部を有する断面形状に板金加工したもので、前記斜め下端寄り部の長手方向に間隔を置いた複数部分が打ち出し加工されて複数の開口部と複数の水切り部が形成され、その水切り部は板状部の下端縁と連続して開口部よりも室外側で、その水切り部の左右方向両端縁が板状部と連続しているシャッタースラットである。
【０００９】
【作  用】
第１の発明によれば、開口部によって採光、換気できるし、板状部に沿って流れる雨水等が開口部から室内に流れ込むことを水切り部で防止できる。
また、板状部の下端縁を折り返して形成した水切り部、折り返した上部と連続し、かつ板状部と平行に対して室内側に向けて斜め下向きの斜め下端寄り部がそれぞれ設けられているし、その斜め下端寄り部に開口部が水切り部と対向して形成されているから、前記水切り部と開口部の間隔が狭く、開口部から雨水等がしぶいて室内に入り込み難くなる。
また、上枢着部、板状部、水切り部、斜め下端寄り部、下枢着部は上下に順次連続しているから、板金加工が可能である。
【００１０】
第２の発明によれば、開口部によって採光、換気できるし、板状部に沿って流れる雨水等が開口部から室内に流れ込むことを水切り部で防止できる。
また、斜め下端寄り部を打ち出し加工して水切り部と開口部を形成したので、その水切り部と開口部の間隔が狭く、開口部から雨水等がしぶいて室内に入り込み難くなる。
また、上枢着部、板状部、斜め下端寄り部、下枢着部は上下に順次連続しているから、板金加工が可能である。
【００１１】
【発明の実施の形態】
図１と図２に示すように、シャッタースラット１０は所定の上下方向長さと左右方向長さを有する長尺板状体を折り曲げ加工、つまり板金加工したものであり、上下方向上部の上枢着部１１、この上枢着部１１と連続した板状部１２、この板状部１２の下端部に一体的に設けた水切り部１３、前記板状部１２の下端部寄り室内面に設けた斜め下端寄り部１４、この斜め下端寄り部１４の下端部と連続した下枢着部１５を有し、その斜め下端寄り部１４に開口部１６が長手方向に間隔を置いて複数形成してある。
【００１２】
前記上枢着部１１は板の上縁部をほぼ円形断面形状に折り曲げてあり、この上枢着部１１の下部と連続した部分をほぼ直線断面形状として板状部１２としてある。この板状部１２の下端縁を折り返して水切り部１３としてあり、その折り返した上部と連続した部分を板状部１２と平行に対して室内側に向けて斜めに下向きに折り曲げて斜め下端寄り部１４としてある。この斜め下端寄り部分１４の下端部と連続した下縁部をほぼ円形断面形状に折り曲げて下枢着部１５としてある。
【００１３】
前記水切り部１３は斜め下端寄り部１４よりも室外寄りで、板状部１２に沿って流れ落ちた雨水等は水切り部１３から落下するので、その雨水等が開口部１６から室内に入り込むことがない。
【００１４】
前記シャッタースラット１０は図３に示すように、上下に隣接した上のシャッタースラット１０の下枢着部１５と下のシャッタースラット１０の上枢着部１１を遊嵌して回動自在に連結する。そして、最上部のシャッタースラット１０における板状部１２の上下中間をドラム２０にビス２１で固着する。ドラム２０は建物躯体２２の室外面に取付けたシャッターケース２３内に回転自在に取付けられる。シャッタースラット１０はサッシ枠２４の室外寄りのガイド２５に沿って上下動する。
【００１５】
板状部１２はほぼ直線断面形状で、この板状部１２よりも上枢着部１１、斜め下端寄り部分１４が室内側に突出しているから、前述のように板状部１２の上下中間をドラム２０にビス２１で固着することで上枢着部１１、斜め下端寄り部分１４がドラム２０に押しつけられるので、シャッタースラット１０をドラム２０に強固に取付けできる。
【００１６】
また、ドラム２０を回転してシャッタースラット１０を図４に示すようにドラム２０に巻き付けると外側のシャッタースラット１０の斜め下端寄り部１４が内側のシャッタースラット１０の板状部１２に接してコンパクトに巻き付けられる。
【００１７】
次に、本発明の第２の実施の形態を図５と図６と図７に基づいて説明する。
一枚の板を板金加工して上枢着部１１、板状部１２、斜め下端寄り部１４、下枢着部１５を有する断面形状で、斜め下端寄り部１４の上半分における長手方向に間隔を置いた複数部分を打ち出し加工して開口部１６と水切り部１３としてある。
【００１８】
前記水切り部１３は板状部１２の下端縁と連続して開口部１６よりも室外側となっているし、水切り部１３の左右方向両端縁が板状部１２と連続している。このようにすれば、打ち出し加工で開口部１６と水切り部１３を形成できるから、加工が簡単となる。
【００１９】
【発明の効果】
請求項１に係る発明によれば、開口部によって採光、換気できるし、板状部に沿って流れる雨水等が開口部から室内に流れ込むことを水切り部で防止できる。
また、板状部の下端縁を折り返して形成した水切り部、折り返した上部と連続し、かつ板状部と平行に対して室内側に向けて斜め下向きの斜め下端寄り部がそれぞれ設けられているし、その斜め下端寄り部に開口部が水切り部と対向して形成されているから、前記水切り部と開口部の間隔が狭く、開口部から雨水等がしぶいて室内に入り込み難くなる。
また、上枢着部、板状部、水切り部、斜め下端寄り部、下枢着部は上下に順次連続しているから、板金加工が可能である。
【００２０】
請求項２に係る発明によれば、開口部によって採光、換気できるし、板状部に沿って流れる雨水等が開口部から室内に流れ込むことを水切り部で防止できる。
また、斜め下端寄り部を打ち出し加工して水切り部と開口部を形成したので、その水切り部と開口部の間隔が狭く、開口部から雨水等がしぶいて室内に入り込み難くなる。
また、上枢着部、板状部、斜め下端寄り部、下枢着部は上下に順次連続しているから、板金加工が可能である。
【図面の簡単な説明】
【図１】本発明の第１の実施の形態を示すシャッタースラットの縦断面図である。
【図２】シャッタースラットの斜視図である。
【図３】シャッタースラットのドラム取付けの説明図である。
【図４】シャッタースラットのドラム巻き付け状態の説明図である。
【図５】本発明の第２の実施の形態を示すシャッタースラットの縦断面図である。
【図６】シャッタースラットの外観図である。
【図７】開口部部分の斜視図である。
【図８】従来のシャッタースラットの縦断面図である。
【符号の説明】
１…上枢着部、２…下枢着部、３…遮蔽部、４…通孔、１０…シャッタースラット、１１…上枢着部、１２…板状部、１３…水切り部、１４…斜め下端寄り部、１５…下枢着部、１６…開口部、２０…ドラム、２１…ビス
【図１】
0003598486.tif 000002
【図２】
0003598486.tif 000003
【図３】
0003598486.tif 000004
【図４】
0003598486.tif 000005
【図５】
0003598486.tif 000006
【図６】
0003598486.tif 000007
【図７】
0003598486.tif 000008
【図８】
0003598486.tif 000009